(57)【要約】【課題】プラズマディスプレイパネルを非発光状態で長時間放置した場合であっても、発光すべき放電セルを発光させる。【解決手段】走査電極２２に傾斜波形電圧を印加して初期化放電を発生させる初期化期間Ｔｉと、走査電極２２に走査パルスを印加するとともに画像信号に応じた書込みパルスをデータ電極３２に印加して書込み放電を発生させる書込み期間Ｔｗと、走査電極２２と維持電極２３とに交互に維持パルスを印加して維持放電を発生させる維持期間Ｔｓとを有するサブフィールドを１フィールド期間内に複数設けたパネルの駆動方法であって、パネルの駆動を終了する時は、走査電極２２に接地電位を印加するとともに維持電極２３に維持パルスと同じ電圧Ｖｓを印加して最後の放電を発生させる。【選択図】図７
2013019983.tif 000002
【特許請求の範囲】
【請求項１】
走査電極に傾斜波形電圧を印加して初期化放電を発生させる初期化期間と、前記走査電極に走査パルスを印加するとともに画像信号に応じた書込みパルスをデータ電極に印加して書込み放電を発生させる書込み期間と、前記走査電極と維持電極とに交互に維持パルスを印加して維持放電を発生させる維持期間とを有するサブフィールドを１フィールド期間内に複数設けたプラズマディスプレイパネルの駆動方法であって、
前記プラズマディスプレイパネルの駆動を終了する時は、前記走査電極に接地電位を印加するとともに前記維持電極に前記維持パルスと同じ電圧を印加して最後の放電を発生させることを特徴とするプラズマディスプレイパネルの駆動方法。
【請求項２】
走査電極に傾斜波形電圧を印加して初期化放電を発生させる初期化期間と、前記走査電極に走査パルスを印加するとともに画像信号に応じた書込みパルスをデータ電極に印加して書込み放電を発生させる書込み期間と、前記走査電極と維持電極とに交互に維持パルスを印加して維持放電を発生させる維持期間とを有するサブフィールドを１フィールド期間内に複数設けたプラズマディスプレイパネルの駆動方法であって、
前記プラズマディスプレイパネルの駆動を終了する時は、前記走査電極に走査パルスを印加するとともに画像信号にかかわらず前記データ電極に書込みパルスを印加してすべての放電セルで強制的に書込み放電を発生させ、次に前記走査電極に前記維持パルスと同じ電圧を印加するとともに前記維持電極に接地電位を印加して維持放電を発生させ、その後、前記走査電極に接地電位を印加するとともに前記維持電極に前記維持パルスと同じ電圧を印加して最後の放電を発生させることを特徴とするプラズマディスプレイパネルの駆動方法。
【請求項３】
走査電極に傾斜波形電圧を印加して初期化放電を発生させる初期化期間と、前記走査電極に走査パルスを印加するとともに画像信号に応じた書込みパルスをデータ電極に印加して書込み放電を発生させる書込み期間と、前記走査電極と維持電極とに交互に維持パルスを印加して維持放電を発生させる維持期間とを有するサブフィールドを１フィールド期間内に複数設けてプラズマディスプレイパネルを駆動する駆動回路を備えたプラズマディスプレイ装置であって、
前記駆動回路は、
前記プラズマディスプレイパネルの駆動を終了する時は、前記走査電極に接地電位を印加するとともに前記維持電極に前記維持パルスと同じ電圧を印加して最後の放電を発生させることを特徴とするプラズマディスプレイ装置。
【発明の詳細な説明】
【技術分野】
【０００１】
本発明は、交流面放電型のプラズマディスプレイパネルの駆動方法、およびプラズマディスプレイパネルを用いたプラズマディスプレイ装置に関する。
【背景技術】
【０００２】
プラズマディスプレイパネル（以下、「パネル」と略記する）として代表的な交流面放電型パネルは、対向配置された前面板と背面板との間に多数の放電セルが形成されている。
【０００３】
前面板には走査電極と維持電極とからなる表示電極対が互いに平行に複数形成され、背面板にはデータ電極が平行に複数形成されている。そして表示電極対とデータ電極とが立体交差するように前面板と背面板とが対向配置されて密封され、内部の放電空間には放電ガスが封入されている。ここで表示電極対とデータ電極との対向する部分に放電セルが形成される。
【０００４】
パネルを駆動する方法としては、１フィールド期間を複数のサブフィールドに分割した上で、発光させるサブフィールドの組み合わせによって階調表示を行う方法が用いられている。各サブフィールドは、初期化期間、書込み期間および維持期間を有する。初期化期間では初期化放電を発生し、続く書込み動作に必要な壁電荷を各電極上に形成する。書込み期間では、表示を行うべき放電セルで選択的に書込み放電を発生させ壁電荷を形成する。そして維持期間では、サブフィールド毎にあらかじめ決められた輝度重みに応じた数の維持パルスを表示電極対に交互に印加し、書込み放電を起こした放電セルで維持放電を発生させ発光させることにより画像表示を行う。
【０００５】
上記パネルを用いたプラズマディスプレイ装置では、電源オン直後に、放電セルの動作が安定せずに画像表示品質が低下することがある。そしてこのような画像表示品質の低下を防ぐための様々な駆動方法が検討されてきた。例えば特許文献１には、パネルの駆動を開始してから所定の期間、初期化放電を発生させる電圧を通常の駆動時における電圧よりも高く設定する駆動方法が開示されている。
【０００６】
また、近年はプラズマディスプレイ装置の消費電力を削減することが強く求められている。このような要求にこたえるために、低い電圧であっても安定した放電を発生させることができるパネルの開発が進められている。例えば特許文献２には、表示電極を覆う誘電体層上に、酸化マグネシウムと酸化カルシウムからなる保護層を形成したパネルが開示されている。
【先行技術文献】
【特許文献】
【０００７】
【特許文献１】特開２００８−９６８０３号公報
【特許文献２】特開２０１０−８０３８８号公報
【発明の概要】
【発明が解決しようとする課題】
【０００８】
しかしながら、酸化カルシウムを含む保護層を形成したパネルは放電開始電圧の変動が大きくなる傾向があり、パネルを非発光状態で長時間放置すると放電開始電圧が高くなる傾向がある。そして電源オン時の初期において、発光すべき放電セルが発光しないといった誤動作が発生する場合があり、これにより画像表示品質が低下するおそれがあった。
【０００９】
本発明は上記の課題に鑑みなされたものであり、パネルを非発光状態で長時間放置した場合であっても、発光すべき放電セルを発光させて、品質の高い画像表示が可能なパネルの駆動方法、およびプラズマディスプレイ装置を提供することを目的とする。
【課題を解決するための手段】
【００１０】
このような課題を解決するために本発明は、走査電極に傾斜波形電圧を印加して初期化放電を発生させる初期化期間と、走査電極に走査パルスを印加するとともに画像信号に応じた書込みパルスをデータ電極に印加して書込み放電を発生させる書込み期間と、走査電極と維持電極とに交互に維持パルスを印加して維持放電を発生させる維持期間とを有するサブフィールドを１フィールド期間内に複数設けたパネルの駆動方法であって、パネルの駆動を終了する時は、走査電極に接地電位を印加するとともに維持電極に維持パルスと同じ電圧を印加して最後の放電を発生させることを特徴とする。この方法により、パネルを非発光状態で長時間放置した場合であっても、発光すべき放電セルを発光させて、品質の高い画像表示が可能なパネルの駆動方法を提供することができる。
【００１１】
また本発明は、走査電極に傾斜波形電圧を印加して初期化放電を発生させる初期化期間と、走査電極に走査パルスを印加するとともに画像信号に応じた書込みパルスをデータ電極に印加して書込み放電を発生させる書込み期間と、走査電極と維持電極とに交互に維持パルスを印加して維持放電を発生させる維持期間とを有するサブフィールドを１フィールド期間内に複数設けたパネルの駆動方法であって、パネルの駆動を終了する時は、走査電極に走査パルスを印加するとともに画像信号にかかわらずデータ電極に書込みパルスを印加してすべての放電セルで強制的に書込み放電を発生させ、次に走査電極に維持パルスと同じ電圧を印加するとともに維持電極に接地電位を印加して維持放電を発生させ、その後、走査電極に接地電位を印加するとともに維持電極に維持パルスと同じ電圧を印加して最後の放電を発生させてもよい。
【００１２】
また本発明は、走査電極に傾斜波形電圧を印加して初期化放電を発生させる初期化期間と、走査電極に走査パルスを印加するとともに画像信号に応じた書込みパルスをデータ電極に印加して書込み放電を発生させる書込み期間と、走査電極と維持電極とに交互に維持パルスを印加して維持放電を発生させる維持期間とを有するサブフィールドを１フィールド期間内に複数設けてパネルを駆動する駆動回路を備えたプラズマディスプレイ装置であって、駆動回路は、パネルの駆動を終了する時は、走査電極に接地電位を印加するとともに維持電極に維持パルスと同じ電圧を印加して最後の放電を発生させることを特徴とする。この構成により、パネルを非発光状態で長時間放置した場合であっても、発光すべき放電セルを発光させて、品質の高い画像表示が可能なプラズマディスプレイ装置を提供することができる。
【発明の効果】
【００１３】
本発明によれば、パネルを非発光状態で長時間放置した場合であっても、発光すべき放電セルを発光させて、品質の高い画像表示が可能なパネルの駆動方法、およびプラズマディスプレイ装置を提供することが可能となる。
【図面の簡単な説明】
【００１４】
【図１】本発明の実施の形態１におけるプラズマディスプレイ装置のパネルの分解斜視図である。
【図２】同プラズマディスプレイ装置のパネルの前面板の構成を示す断面図である。
【図３】同プラズマディスプレイ装置のパネルの電極配列図である。
【図４】同プラズマディスプレイ装置の回路ブロック図である。
【図５】同プラズマディスプレイ装置の駆動電圧波形図である。
【図６】同プラズマディスプレイ装置のオンおよびオフ時の各制御信号を示す図である。
【図７】同プラズマディスプレイ装置をオン・オフする場合の駆動電圧波形の一例を示す図である。
【図８】本発明の実施の形態２におけるプラズマディスプレイ装置をオフする場合の駆動電圧波形の一例を示す図である。
【発明を実施するための形態】
【００１５】
以下、本発明の実施の形態におけるプラズマディスプレイ装置について、図面を用いて説明する。
【００１６】
（実施の形態１）
図１は、本発明の実施の形態１におけるプラズマディスプレイ装置のパネル１０の分解斜視図である。前面板２０は、ガラス製の前面基板２１上に走査電極２２と維持電極２３とからなる表示電極対２４が複数形成され、表示電極対２４を覆うように誘電体層２５が形成され、その誘電体層２５上に保護層２６が形成されている。背面板３０は、ガラス製の背面基板３１上にデータ電極３２が複数形成され、データ電極３２を覆うように誘電体層３３が形成され、さらにその上に井桁状の隔壁３４が形成されている。そして、誘電体層３３上および隔壁３４の側面には赤色、緑色および青色の各色に発光する蛍光体層３５が設けられている。
【００１７】
これら前面板２０と背面板３０とは、微小な放電空間を挟んで表示電極対２４とデータ電極３２とが交差するように対向配置され、その外周部をガラスフリット等の封着材によって封着されている。そして放電空間には、例えばネオンとキセノンの混合ガスが放電ガスとして封入されている。放電空間は隔壁３４によって複数の区画に仕切られており、表示電極対２４とデータ電極３２とが交差する部分に放電セルが形成されている。
【００１８】
図２は、本発明の実施の形態１におけるプラズマディスプレイ装置のパネル１０の前面板２０の構成を示す断面図である。保護層２６は、酸化マグネシウムと酸化カルシウムからなる金属酸化膜層２６ａと、酸化マグネシウムの結晶粒子２７が複数個凝集した凝集粒子２８を付着させた粒子層２６ｂとで形成されている。
【００１９】
金属酸化膜層２６ａは、酸化マグネシウムや酸化カルシウムの単独材料のペレットや、それらの材料を混合したペレットを用いて薄膜成膜方法によって形成される。本発明の実施の形態では、酸化マグネシウムと酸化カルシウムとを原材料として電子ビーム蒸着法で形成した金属酸化物の薄膜で金属酸化膜層２６ａを構成している。このようにして構成した金属酸化膜層２６ａは、Ｘ線回折分析において酸化マグネシウムのピークが発生する回折角と、酸化マグネシウムのピークと同一方位の酸化カルシウムのピークが発生する回折角との間にピークが存在する。したがって金属酸化膜層２６ａのエネルギー準位も酸化マグネシウム単体と酸化カルシウム単体との間に存在する。その結果、金属酸化膜層２６ａでは、酸化マグネシウム単体と比較して良好な二次電子放出特性を発揮する。
【００２０】
粒子層２６ｂを構成する酸化マグネシウムの結晶粒子２７は、気相合成法または前駆体焼成法で製造される。そして酸化マグネシウムの結晶粒子２７を溶媒に分散させ、その分散液をスプレー法やスクリーン印刷法、静電塗布法等によって金属酸化膜層２６ａの表面に分散散布させる。その後、乾燥・焼成して溶媒を除去し、酸化マグネシウムの結晶粒子２７が複数個凝集した凝集粒子２８を金属酸化膜層２６ａの表面に定着させる。
【００２１】
保護層２６をこのように形成することにより、書き込み放電における放電遅れを抑制し、放電遅れの温度依存性を改善している。
【００２２】
図３は、本発明の実施の形態１におけるプラズマディスプレイ装置のパネル１０の電極配列図である。行方向に長いｎ本の走査電極２２およびｎ本の維持電極２３が配列され、列方向に長いｍ本のデータ電極３２が配列されている。そして、１対の走査電極２２および維持電極２３と１つのデータ電極３２とが交差した部分に放電セルが形成され、放電セルは放電空間内にｍ×ｎ個形成されている。
【００２３】
図４は、本発明の実施の形態１におけるプラズマディスプレイ装置４０の回路ブロック図である。プラズマディスプレイ装置４０は、パネル１０と、画像信号処理回路４１と、データ電極駆動回路４２と、走査電極駆動回路４３と、維持電極駆動回路４４と、タイミング発生回路４５と、電源回路４６と、制御回路４７とを備えている。
【００２４】
画像信号処理回路４１は、入力した画像信号をサブフィールド毎の放電セルの発光または非発光を示す画像データに変換する。タイミング発生回路４５は、入力した水平、垂直の同期信号、および後述する制御回路４７の出力をもとにして各回路ブロックの動作を制御する各種のタイミング信号を発生し、それぞれの回路ブロックへ供給する。
【００２５】
データ電極駆動回路４２は、タイミング信号に基づいてサブフィールド毎の画像データをデータ電極３２のそれぞれに印加する書込みパルスに変換する。走査電極駆動回路４３は、タイミング信号に基づいて走査電極２２のそれぞれに印加する駆動電圧波形を発生する。維持電極駆動回路４４は、タイミング信号に基づいて維持電極２３に印加する駆動電圧波形を発生する。
【００２６】
電源回路４６は、主電源スイッチ５１と、駆動電源部５２と、スタンバイ電源部５３と、通電検出部５４とを備える。駆動電源部５２は、パネル１０を駆動するための各回路ブロックに必要な各種の電源を供給する。スタンバイ電源部５３は、制御回路４７を動作させるための電力を供給する。通電検出部５４は、主電源スイッチ５１がオンであることを示す主電源オン信号Ｃ１２を出力する。そして、主電源スイッチ５１をオンすることにより、スタンバイ電源部５３と通電検出部５４とが動作する。一方、駆動電源部５２のオン・オフは、後述する制御回路４７の電源制御部５９により制御される。
【００２７】
制御回路４７は、リモコン制御部５６と、シーケンス制御部５８と、電源制御部５９とを備える。リモコン制御部５６は、リモートコントロールスイッチ４８（以下、「リモコン４８」と略記する）からの光信号をリモコン受光部で受信し、プラズマディスプレイ装置４０の電源のオン・オフを制御するオン信号Ｃ１１を発生する。シーケンス制御部５８は、オン信号Ｃ１１および主電源オン信号Ｃ１２にもとづき、タイミング発生回路４５の動作を制御するためのイネーブル信号Ｃ２１を発生する。また、駆動電源部５２のオン・オフを制御するイネーブル信号Ｃ２２を発生し電源制御部５９に出力する。電源制御部５９は、イネーブル信号Ｃ２２にもとづき駆動電源部５２のオン・オフ制御を行う。加えて、プラズマディスプレイ装置になんらかの異常が発生したことを示す非常停止信号Ｃ３０にもとづき駆動電源部５２をオフする。
【００２８】
次に、パネル１０を駆動するための駆動方法について説明する。パネル１０は、走査電極２２に傾斜波形電圧を印加して初期化放電を発生させる初期化期間と、走査電極２２に走査パルスを印加するとともに画像信号に応じた書込みパルスをデータ電極３２に印加して書込み放電を発生させる書込み期間と、走査電極２２と維持電極２３とに交互に維持パルスを印加して維持放電を発生させる維持期間とを有するサブフィールドを１フィールド期間内に複数設け、サブフィールド毎に各放電セルの発光・非発光を制御することによって階調表示を行う。
【００２９】
初期化期間では、緩やかに変化する傾斜波形電圧を走査電極２２に印加して微弱な初期化放電を発生し、続く書込み放電に必要な壁電荷を各電極上に形成する。このときの初期化動作には、全ての放電セルで強制的に初期化放電を発生させる強制初期化動作と、維持放電を発生した放電セルのみで選択的に初期化放電を発生させる選択初期化動作とがある。書込み期間では、走査電極２２に走査パルスを順次印加するとともにデータ電極３２に選択的に書込みパルスを印加して、発光させるべき放電セルで選択的に書込み放電を発生する。維持期間では、輝度重みに応じた数の維持パルスを走査電極２２および維持電極２３に印加して、書込み放電を発生した放電セルで維持放電を発生させて発光させる。
【００３０】
１フィールドは、例えば１０のサブフィールド（ＳＦ１、ＳＦ２、・・・、ＳＦ１０）に分割され、各サブフィールドはそれぞれ、例えば（１、２、３、６、１１、１８、３０、４４、６０、８０）の輝度重みを持つ。またサブフィールドＳＦ１は強制初期化動作を行うサブフィールド、それ以降のサブフィールドＳＦ２〜サブフィールドＳＦ１０は選択初期化動作を行うサブフィールドである。しかし、サブフィールド数や各サブフィールドの輝度重みが上記の値に限定されるものではない。
【００３１】
図５は、本発明の実施の形態１におけるプラズマディスプレイ装置４０の駆動電圧波形図である。
【００３２】
サブフィールドＳＦ１の初期化期間Ｔｉ１の前半部では、データ電極３２、維持電極２３にそれぞれ電圧０（Ｖ）を印加し、走査電極２２には、電圧Ｖｉ１から電圧Ｖｉ２まで上昇する上り傾斜波形電圧を印加する。すると走査電極２２と維持電極２３、走査電極２２とデータ電極３２との間でそれぞれ微弱な初期化放電が起こる。そして走査電極２２上に負の壁電圧が蓄積されるとともに、データ電極３２上および維持電極２３上には正の壁電圧が蓄積される。ここで、電極上の壁電圧とは電極を覆う誘電体層上、保護層上、蛍光体層上等に蓄積された壁電荷により生じる電圧を表す。
【００３３】
初期化期間Ｔｉ１の後半部では、維持電極２３に正の電圧Ｖｅを印加し、走査電極２２には、電圧Ｖｉ３からＶｉ４まで下降する下り傾斜波形電圧を印加する。すると走査電極２２と維持電極２３、走査電極２２とデータ電極３２との間でそれぞれ微弱な初期化放電が起こる。そして走査電極２２上の負の壁電圧および維持電極２３上の正の壁電圧が弱められ、データ電極３２上の正の壁電圧は書込み動作に適した値に調整される。
【００３４】
このように、サブフィールドＳＦ１の初期化期間Ｔｉ１では、全ての放電セルで強制的に初期化放電を発生させる強制初期化動作を行う。
【００３５】
続く書込み期間Ｔｗでは、維持電極２３に電圧Ｖｅを印加し、走査電極２２に電圧Ｖｃを印加する。
【００３６】
次に、１行目の走査電極２２に電圧Ｖａの走査パルスを印加するとともに、データ電極３２のうち１行目に発光させるべき放電セルのデータ電極３２に電圧Ｖｄの書込みパルスを印加する。するとデータ電極３２上と走査電極２２上との交差部の電圧差は放電開始電圧を超え、データ電極３２と走査電極２２との間および維持電極２３と走査電極２２との間で書込み放電が発生する。そして走査電極２２上に正の壁電圧が蓄積され、維持電極２３上に負の壁電圧が蓄積され、データ電極３２上にも負の壁電圧が蓄積される。
【００３７】
このようにして、１行目に発光させるべき放電セルで書込み放電を起こして各電極上に壁電圧を蓄積する書込み動作が行われる。一方、書込みパルスを印加しなかったデータ電極３２と走査電極２２との交差部の電圧は放電開始電圧を超えないので、書込み放電は発生しない。以上の書込み動作をｎ行目の放電セルに至るまで行い、書込み期間Ｔｗを終了する。
【００３８】
続く維持期間Ｔｓでは、維持電極２３に接地電位である電圧０（Ｖ）を印加するとともに走査電極２２に電圧Ｖｓの維持パルスを印加する。すると書込み放電を起こした放電セルでは走査電極２２上に正の壁電圧、維持電極２３上に負の壁電圧が蓄積されているので、走査電極２２上と維持電極２３上との電圧差が放電開始電圧を超え、走査電極２２と維持電極２３との間で維持放電が発生し、対応する放電セルの蛍光体層３５が発光する。そして走査電極２２上に負の壁電圧が蓄積され、維持電極２３上に正の壁電圧が蓄積される。さらにデータ電極３２上にも正の壁電圧が蓄積される。
【００３９】
ただし、書込み期間Ｔｗにおいて書込み放電を起こさなかった放電セルでは、初期化期間Ｔｉ１において走査電極２２上および維持電極２３上の壁電圧は弱められたままであるので、維持放電は発生しない。
【００４０】
続いて、走査電極２２には接地電位である電圧０（Ｖ）を、維持電極２３には電圧Ｖｓの維持パルスをそれぞれ印加する。すると維持放電を起こした放電セルでは再び維持放電が起こり、維持電極２３上に負の壁電圧が蓄積され走査電極２２上に正の壁電圧が蓄積される。以降、階調重みに応じた数の維持パルスを走査電極２２と維持電極２３とに交互に印加して、放電セルを発光させる。
【００４１】
そして、維持期間Ｔｓの最後には、維持電極２３を電圧０（Ｖ）に戻した後、電圧Ｖｒまで上昇する上り傾斜波形電圧を走査電極２２に印加する。すると、維持放電を起こした放電セルの維持電極２３と走査電極２２との間で弱い放電が起こり、走査電極２２上と維持電極２３上との間の壁電圧が弱められる。その後、走査電極２２に印加する電圧を電圧０（Ｖ）に戻す。こうして維持期間Ｔｓを終了する。
【００４２】
続くサブフィールドＳＦ２の初期化期間Ｔｉ２では、維持電極２３に正の電圧Ｖｅを印加し、走査電極２２には電圧Ｖｉ４まで下降する下り傾斜波形電圧を印加する。すると直前のサブフィールドＳＦ１の維持期間Ｔｓにおいて維持放電を行った放電セルで選択的に微弱な初期化放電が発生し、各電極上の壁電圧は書込み動作に適した値に調整される。このように、サブフィールドＳＦ２の初期化期間Ｔｉ２では、直前のサブフィールドで維持放電を行った放電セルのみで初期化放電を発生させる選択初期化動作を行う。
【００４３】
続く書込み期間ＴｗはサブフィールドＳＦ１の書込み期間Ｔｗと同様である。また維持期間Ｔｓは維持パルス数を除いてサブフィールドＳＦ１の維持期間Ｔｓと同様である。さらに、それ以降のサブフィールドＳＦ３〜サブフィールドＳＦ１０の初期化期間Ｔｉ２および書込み期間ＴｗはサブフィールドＳＦ２の初期化期間Ｔｉ２および書込み期間Ｔｗと同様であり、維持期間Ｔｓは維持パルス数を除いてサブフィールドＳＦ２の維持期間Ｔｓと同様である。
【００４４】
なお、本実施の形態において各電極に印加する電圧値は、例えば、電圧Ｖｉ１＝１４０（Ｖ）、電圧Ｖｉ２＝３４０（Ｖ）、電圧Ｖｉ３＝２００（Ｖ）、電圧Ｖｉ４＝−１９０（Ｖ）、電圧Ｖｃ＝−６０（Ｖ）、電圧Ｖａ＝−２００（Ｖ）、電圧Ｖｓ＝２００（Ｖ）、電圧Ｖｒ＝２００（Ｖ）、電圧Ｖｅ＝１３０（Ｖ）、電圧Ｖｄ＝６０（Ｖ）である。ただしこれらの値は、単に一例を挙げたに過ぎず、パネル１０の特性やプラズマディスプレイ装置の仕様等に合わせて、適宜最適な値に設定することが望ましい。
【００４５】
次に、リモコン４８を用いてプラズマディスプレイ装置４０の電源をオン・オフする場合の駆動シーケンスについて説明する。図６は、本発明の実施の形態１におけるプラズマディスプレイ装置４０のオンおよびオフ時の各制御信号を示す図である。
【００４６】
プラズマディスプレイ装置４０をオンする場合については後述することとして、まずプラズマディスプレイ装置４０をオフする場合について説明する。
【００４７】
時刻ｔ２１において、プラズマディスプレイ装置４０をオフするためのリモコン操作を行ったとする。するとリモコン制御部５６はリモコンからの光信号を受信し、それをデコードしてオン信号Ｃ１１を「Ｌ」にする。オン信号Ｃ１１が「Ｌ」になると、シーケンス制御部５８はイネーブル信号Ｃ２１を速やかに「Ｌ」にする。タイミング発生回路４５は、イネーブル信号Ｃ２１が「Ｌ」になってもすぐにその動作を停止するのではなく、イネーブル信号Ｃ２１が「Ｌ」になったサブフィールドの維持期間の途中まで動作を継続する。そして走査電極２２に接地電位である電圧０（Ｖ）、維持電極２３に維持パルスの電圧Ｖｓを印加して最後の放電を発生させて動作を停止させる。すなわちあるサブフィールドの初期化期間にイネーブル信号Ｃ２１が「Ｌ」になった場合には、そのサブフィールドの初期化期間および書込み期間の動作を行い、さらに維持期間の途中まで維持動作を継続し、その後に走査電極２２に電圧０（Ｖ）、維持電極２３に電圧Ｖｓを印加して最後の放電を発生させて動作を停止させる。また、あるサブフィールドの書込み期間にイネーブル信号Ｃ２１が「Ｌ」になった場合には、そのサブフィールドの書込み期間の動作を行い、さらに維持期間の途中まで維持動作を継続し、その後に走査電極２２に電圧０（Ｖ）、維持電極２３に電圧Ｖｓを印加して最後の放電を発生させて動作を停止させる。また、あるサブフィールドの維持期間にイネーブル信号Ｃ２１が「Ｌ」になった場合には、走査電極２２に電圧０（Ｖ）、維持電極２３に電圧Ｖｓを印加して最後の放電を発生させて動作を停止させる。このようにして、タイミング発生回路４５はプラズマディスプレイ装置の画像表示動作を終了させる。
【００４８】
またシーケンス制御部５８は、タイミング発生回路４５が動作を停止するまでの時間を見越して、イネーブル信号Ｃ２２を「Ｌ」とする。本実施の形態においては、イネーブル信号Ｃ２１を「Ｌ」にした後およそ１０ｍｓｅｃ後の時刻ｔ２３にイネーブル信号Ｃ２２を「Ｌ」とする。
【００４９】
図７は、本発明の実施の形態１におけるプラズマディスプレイ装置４０をオン・オフする場合の駆動電圧波形の一例を示す図である。図７に示した例では、書込み期間中の時刻ｔ２１においてイネーブル信号Ｃ２１が「Ｌ」となっている。したがって上述したように、そのサブフィールドの書込み期間の動作を行い、さらに維持期間の途中まで維持動作を継続し、その後に走査電極２２に電圧０（Ｖ）、維持電極２３に電圧Ｖｓを印加して最後の放電を発生させて動作を停止させる。
【００５０】
図７に示した初期化期間Ｔｉ２、書込み期間Ｔｗの動作については、定常動作時における初期化期間Ｔｉ２、書込み期間Ｔｗの動作と同様であるため説明を省略する。維持期間Ｔｓでは、走査電極２２および維持電極２３に交互に維持パルスを印加する。すると書込み放電を行った放電セルで維持放電が発生する。
【００５１】
そして時刻ｔ２２において、走査電極２２に接地電位である電圧０（Ｖ）、維持電極２３に電圧Ｖｓを印加する。すると走査電極２２上に正の壁電圧、維持電極２３上に負の壁電圧、およびデータ電極３２上に正の壁電圧が蓄積される。そしてタイミング発生回路４５はプラズマディスプレイ装置の画像表示動作を停止させる。
【００５２】
その後の時刻ｔ２３において駆動電源部５２も動作を停止するため、時刻ｔ２４において、維持電極２３に印加した電圧Ｖｓも低下し始める。しかしこの電圧低下に伴って放電を発生することはないので、走査電極２２上に蓄積された正の壁電圧、維持電極２３上に蓄積された負の壁電圧、およびデータ電極３２上に蓄積された正の壁電圧は、そのまま保持される。
【００５３】
次に、プラズマディスプレイ装置４０をオンする場合について説明する。リモコン４８を用いてプラズマディスプレイ装置４０をオンする場合には、主電源スイッチ５１はすでにオンになっているので、図６に示したように、主電源オン信号Ｃ１２は「Ｈ」である。
【００５４】
時刻ｔ１１において、プラズマディスプレイ装置４０をオンするためのリモコン操作を行ったとする。するとリモコン制御部５６はリモコン４８からの光信号を受信し、それをデコードしてオン信号Ｃ１１を「Ｈ」にする。オン信号Ｃ１１が「Ｈ」になると、シーケンス制御部５８は電源制御部５９に出力するイネーブル信号Ｃ２２を速やかに「Ｈ」にする。電源制御部５９はイネーブル信号Ｃ２２が「Ｈ」になると、駆動電源部５２を動作させ、各回路ブロックへ駆動電圧を供給する。
【００５５】
シーケンス制御部５８は、駆動電源部５２の各出力電圧が安定するまでの間パネル１０の駆動を遅らせるために、オン信号Ｃ１１が「Ｈ」になってからおよそ４ｓｅｃ後の時刻ｔ１２においてイネーブル信号Ｃ２１を「Ｈ」とし、タイミング発生回路４５へ出力する。タイミング発生回路４５はイネーブル信号Ｃ２１が「Ｈ」になると維持電極２３に電圧Ｖｅを、走査電極２２に電圧Ｖｃを印加するためのタイミング信号をそれぞれ発生する。そしてタイミング発生回路４５に垂直同期信号が入力されると、タイミング発生回路４５は、図７に示した駆動電圧波形をパネル１０に印加するための各種のタイミング信号を発生する。
【００５６】
時刻ｔ１３において初期化期間Ｔｉ１が開始すると、データ電極３２、維持電極２３にそれぞれ電圧０（Ｖ）を印加し、走査電極２２には、電圧Ｖｉ１から電圧Ｖｉ２まで上昇する上り傾斜波形電圧を印加する。このとき、各電極上には、プラズマディスプレイ装置４０をオフしたときに蓄積した壁電圧が保持されている。すなわち、走査電極２２上に正の壁電圧、維持電極２３上に負の壁電圧、およびデータ電極３２上に正の壁電圧が保持されている。
【００５７】
したがって走査電極２２と維持電極２３との間には、走査電極２２上に蓄積された正の壁電圧と維持電極２３上に蓄積された負の壁電圧との差電圧に電圧Ｖｉ１を加算した電圧から、走査電極２２上に蓄積された正の壁電圧と維持電極２３上に蓄積された負の壁電圧との差電圧に電圧Ｖｉ２を加算した電圧まで上昇する上り傾斜波形電圧が印加されることになる。このように走査電極２２と維持電極２３との間には十分に高い電圧が印加されるため、パネルを非発光状態で長時間放置して放電開始電圧が高くなった場合であっても、走査電極２２と維持電極２３との間で確実に初期化放電を発生させることができる。
【００５８】
同様に、走査電極２２とデータ電極３２との間には、走査電極２２上に蓄積された正の壁電圧とデータ電極３２上に蓄積された負の壁電圧との差電圧に電圧Ｖｉ１を加算した電圧から、走査電極２２上に蓄積された正の壁電圧とデータ電極３２上に蓄積された負の壁電圧との差電圧に電圧Ｖｉ２を加算した電圧まで上昇する上り傾斜波形電圧が印加されることになる。このように走査電極２２とデータ電極３２との間にも十分に高い電圧が印加されるため、パネルを非発光状態で長時間放置して放電開始電圧が高くなった場合であっても、走査電極２２とデータ電極３２との間で確実に初期化放電を発生させることができる。
【００５９】
なお、主電源スイッチ５１を用いてプラズマディスプレイ装置４０を直接にオン・オフさせた場合、または停電等により商用電源からの電力供給が停止した場合であっても、上述したリモコン４８を用いてプラズマディスプレイ装置４０をオン・オフさせる場合と同様である。すなわち、電力供給が停止した場合にすぐパネルの駆動を停止させるのではなく、表示終了の信号を受けた時点のサブフィールドの維持期間の途中まで維持動作を継続し、その後に走査電極２２に電圧０（Ｖ）、維持電極２３に電圧Ｖｓを印加した状態で動作を停止させる。なお、主電源スイッチ５１を用いてプラズマディスプレイ装置４０を直接にオフさせた場合、または停電等により商用電源からの電力供給が停止した場合には、電源回路４６の駆動電源部５２の電力供給も同時に停止するが、駆動電源部５２の平滑コンデンサに電力が蓄積されている。そのため、商用電源からの電力供給の停止後数ｍｓｅｃ程度の期間は、駆動電源部５２は継続して各回路ブロックに電力を供給することができる。
【００６０】
このように、パネル１０の駆動を終了する時は、走査電極２２に接地電位を印加するとともに維持電極２３に維持パルスと同じ電圧Ｖｓを印加して最後の放電を発生させる。
【００６１】
なお実施の形態１においては、終了動作を行うサブフィールドで書込み放電を発生した放電セルのみで、各電極上に壁電圧を蓄積させた。しかし終了動作を行う際にすべての放電セルの各電極上に壁電圧を蓄積させることがさらに望ましい。
【００６２】
以下にこのような例を実施の形態２として説明する。
【００６３】
（実施の形態２）
実施の形態２におけるパネル１０、およびプラズマディスプレイ装置４０の回路ブロックは実施の形態１と同様である。またプラズマディスプレイ装置４０をオンする場合の駆動電圧波形も実施の形態１と同様である。
【００６４】
実施の形態２が実施の形態１と異なる点は、プラズマディスプレイ装置４０をオフする場合の駆動電圧波形である。実施の形態２においては、画像信号にかかわらずすべての放電セルで強制的に書込み放電を発生させ、走査電極２２に電圧Ｖｓを、維持電極２３に電圧０（Ｖ）を印加し、その後、走査電極２２に電圧０（Ｖ）を、維持電極２３に電圧Ｖｓを印加する。こうして走査電極２２上に正の壁電圧、維持電極２３上に負の壁電圧、データ電極３２上に正の壁電圧をそれぞれ蓄積させて、プラズマディスプレイ装置の画像表示動作を停止させる。
【００６５】
すなわち、あるサブフィールドの初期化期間Ｔｉにイネーブル信号Ｃ２１が「Ｌ」になった場合には、そのサブフィールドの書込み期間Ｔｗにおいて、すべての放電セルで強制的に書込み放電を発生させる。その後、走査電極２２に電圧Ｖｓを印加して維持放電を発生させ、さらにその後、維持電極２３に電圧Ｖｓを印加して最後の放電を発生させる。また、あるサブフィールドの書込み期間Ｔｗにイネーブル信号Ｃ２１が「Ｌ」になった場合には、再び書込み期間Ｔｗ２を設けて、すべての放電セルで強制的に書込み放電を発生させる。その後、走査電極２２に電圧Ｖｓを印加して維持放電を発生させ、さらにその後、維持電極２３に電圧Ｖｓを印加して最後の放電を発生させる。また、あるサブフィールドの維持期間Ｔｓにイネーブル信号Ｃ２１が「Ｌ」になった場合には、まず維持期間Ｔｓを早急に終了させる。次に、初期化期間Ｔｉ２を設けて初期化放電を発生させ、さらに書込み期間Ｔｗ２を設けて、すべての放電セルで強制的に書込み放電を発生させる。その後、走査電極２２に電圧Ｖｓを印加して維持放電を発生させ、さらにその後、維持電極２３に電圧Ｖｓを印加して維持放電を発生させて最後の放電を発生させる。
【００６６】
図８は、本発明の実施の形態２におけるプラズマディスプレイ装置４０をオフする場合の駆動電圧波形の一例を示す図である。図８に示した例では、維持期間Ｔｓ中の時刻ｔ２１においてイネーブル信号Ｃ２１が「Ｌ」となっている。したがって上述したように、先ず維持期間Ｔｓを終了する。次に、初期化期間Ｔｉ２を設けて初期化放電を発生させ、さらに書込み期間Ｔｗ２を設けて、すべての放電セルで強制的に書込み放電を発生させる。その後、走査電極２２上に正の壁電圧、維持電極２３上に負の壁電圧をそれぞれ蓄積させて、プラズマディスプレイ装置の画像表示動作を停止する。
【００６７】
具体的には時刻ｔ３２において、走査電極２２に電圧０（Ｖ）を印加し、維持電極２３に電圧Ｖｓを印加して維持放電を発生させる。その後、時刻ｔ３３において、維持電極２３を電圧０（Ｖ）に戻した後、走査電極２２に電圧Ｖｒまで上昇する上り傾斜波形電圧を印加する。こうして維持期間Ｔｓを終了させる。
【００６８】
次に、時刻ｔ３４において、維持電極２３に電圧Ｖｅを印加し、走査電極２２には電圧Ｖｉ４に向かって緩やかに下降する傾斜波形電圧を印加する。こうして直前のサブフィールドで維持放電を行った放電セルで選択的に初期化放電を発生させる。
【００６９】
次に、時刻ｔ３５において、維持電極２３に電圧Ｖｅを印加し、走査電極２２に電圧Ｖｃを印加する。そして１行目の走査電極２２からｎ行目の走査電極２２に電圧Ｖａの走査パルスを順次印加するとともに、すべてのデータ電極３２に電圧Ｖｄの書込みパルスを印加する。するとすべての放電セルのデータ電極３２と走査電極２２との間および維持電極２３と走査電極２２との間で書込み放電が発生する。そして走査電極２２上に正の壁電圧が蓄積され、維持電極２３上に負の壁電圧が蓄積され、データ電極３２上にも負の壁電圧が蓄積される。
【００７０】
次に、時刻ｔ３６において、走査電極２２に電圧Ｖｓを印加し、維持電極２３に接地電位である電圧０（Ｖ）を印加してすべての放電セルで維持放電を発生させ、さらにその後、時刻ｔ３７において、走査電極２２に接地電位である電圧０（Ｖ）を印加し、維持電極２３に電圧Ｖｓを印加してすべての放電セルで維持放電を発生させる。こうしてすべての放電セルの走査電極２２上に正の壁電圧、維持電極２３上に負の壁電圧、およびデータ電極３２上に正の壁電圧をそれぞれ蓄積させて、プラズマディスプレイ装置の画像表示動作を停止させる。
【００７１】
その後、図６に示した時刻ｔ２３において駆動電源部５２も動作を停止するため、図８に示した時刻ｔ３８において、維持電極２３に印加した電圧Ｖｓも低下し始める。しかしこの電圧低下に伴って放電を発生することはないので、走査電極２２上に蓄積された正の壁電圧、維持電極２３上に蓄積された負の壁電圧、およびデータ電極３２上に蓄積された正の壁電圧は、次に、プラズマディスプレイ装置４０をオンする時まで保持される。
【００７２】
したがって、次にプラズマディスプレイ装置４０をオンして初期化期間Ｔｉ１が開始すると、すべての放電セルの走査電極２２と維持電極２３との間には、走査電極２２上に蓄積された正の壁電圧と維持電極２３上に蓄積された負の壁電圧との差電圧に電圧Ｖｉ１を加算した電圧から、走査電極２２上に蓄積された正の壁電圧と維持電極２３上に蓄積された負の壁電圧との差電圧に電圧Ｖｉ２を加算した電圧まで上昇する上り傾斜波形電圧が印加されることになる。またすべての放電セルの走査電極２２とデータ電極３２との間には、走査電極２２上に蓄積された正の壁電圧とデータ電極３２上に蓄積された負の壁電圧との差電圧に電圧Ｖｉ１を加算した電圧から、走査電極２２上に蓄積された正の壁電圧とデータ電極３２上に蓄積された負の壁電圧との差電圧に電圧Ｖｉ２を加算した電圧まで上昇する上り傾斜波形電圧が印加されることになる。
【００７３】
このように、パネル１０の駆動を終了する時は、書込み期間Ｔｗにおいて走査電極２２に走査パルスを印加するとともに画像信号にかかわらずデータ電極３２に書込みパルスを印加してすべての放電セルで強制的に書込み放電を発生させ、続く維持期間Ｔｓにおいて走査電極２２に維持パルスと同じ電圧Ｖｓを印加するとともに維持電極２３に接地電位０（Ｖ）を印加して維持放電を発生させ、その後、走査電極２２に接地電位０（Ｖ）を印加するとともに維持電極２３に維持パルスと同じ電圧Ｖｓを印加して最後の放電を発生させる。
【００７４】
すると、すべての放電セルの走査電極２２と維持電極２３との間および走査電極２２とデータ電極３２との間には十分に高い電圧が印加されるため、パネルを非発光状態で長時間放置して放電開始電圧が高くなった場合であっても、すべての放電セルで確実に初期化放電を発生させることができる。
【００７５】
なお、実施の形態１および実施の形態２において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【００７６】
本発明は、パネルを非発光状態で長時間放置した場合であっても、発光すべき放電セルを発光させて、品質の高い画像表示が可能であり、パネルの駆動方法、およびプラズマディスプレイ装置として有用である。
【符号の説明】
【００７７】
１０    パネル
２１    前面基板
２２    走査電極
２３    維持電極
２４    表示電極対
３２    データ電極
４０    プラズマディスプレイ装置
４１    画像信号処理回路
４２    データ電極駆動回路
４３    走査電極駆動回路
４４    維持電極駆動回路
４５    タイミング発生回路
４６    電源回路
４７    制御回路
４８    リモコン
５１    主電源スイッチ
５２    駆動電源部
５３    スタンバイ電源部
５４    通電検出部
５６    リモコン制御部
５８    シーケンス制御部
５９    電源制御部
Ｔｉ，Ｔｉ１，Ｔｉ２    初期化期間
Ｔｓ    維持期間
Ｔｗ，Ｔｗ２    書込み期間
Ｃ１１    オン信号
Ｃ１２    主電源オン信号
Ｃ２１，Ｃ２２    イネーブル信号
Ｃ３０    非常停止信号
【図１】
2013019983.tif 000003
【図２】
2013019983.tif 000004
【図３】
2013019983.tif 000005
【図４】
2013019983.tif 000006
【図５】
2013019983.tif 000007
【図６】
2013019983.tif 000008
【図７】
2013019983.tif 000009
【図８】
2013019983.tif 000010